(57)【要約】    【課題】  薬剤収容容器を薬剤選択供給装置に装着脱する際に該薬剤収容容器内に残った薬剤を不用意に排出させない錠剤等の薬剤収容容器を提供する。    【解決手段】  薬剤選択供給装置内の薬剤収容容器支持体２に装着脱可能で薬剤を収納可能な薬剤収納部１６を設けた収容容器本体１と、略鉛直方向に設けた軸体２９を中心として回転自在で薬剤を収納可能な薬剤収納部１６の底部側に設けた薬剤整列ローラー２５と、薬剤整列ローラー２５の外周側に複数形成した薬剤の整列しうる薬剤整列路２４と、薬剤整列ローラー２５の回転により薬剤が個々に排出される出口となる開口部１３とを具え、自己の弾性力で軸体２９の回転を抑止する抑止手段と、抑止手段の弾性に抗して軸体を回転させ得る回転駆動体とを設けている。【選択図】  図２
2006111357.tif 000002
【特許請求の範囲】
【請求項１】
薬剤選択供給装置内の薬剤収容容器支持体（２）に装着脱可能で、且つ錠剤、カプセル等の薬剤を収納可能な薬剤収納部（１６）が設けられた収容容器本体（１）と、略鉛直方向に設けられた軸体（２９）を中心として回転自在で、且つ錠剤、カプセル等の薬剤を収納可能な薬剤収納部（１６）の底部側に設けられた薬剤整列ローラー（２５）と、該薬剤整列ローラー（２５）の外周側に複数形成された錠剤、カプセル等の薬剤の整列しうる薬剤整列路（２４）と、前記薬剤整列ローラー（２５）の回転により前記薬剤が個々に排出される出口となる開口部１３とが具備された薬剤収容容器であって、
自己の弾性力で軸体（２９）の回転を抑止する抑止手段と、抑止手段の弾性に抗して軸体を回転させ得る回転駆動体とが設けられていることを特徴とする薬剤収容容器。
【発明の詳細な説明】
【技術分野】
【０００１】
本発明は、主として病院等に設置される薬剤選択供給装置、即ち錠剤、カプセル等の薬剤を患者毎の処方箋に従って適宜選択して取り出すための装置に装着される錠剤等の薬剤選択供給装置用の薬剤収容容器に関する。
【背景技術】
【０００２】
従来、錠剤、カプセル等の薬剤収容容器は、その薬剤を入れる薬剤収納部と、その薬剤収納部内に回転自在に設けられ、且つ周囲に薬剤を整列させるための薬剤整列路が形成された薬剤整列ローラーと、その薬剤整列ローラーの回転軸に固着されたギアと、薬剤整列路から薬剤を排出する薬剤排出用の開口部とから構成される。
かかる薬剤収容容器は、薬剤選択供給装置に装着され、その薬剤選択供給装置のモーターの回転駆動がギアを介して薬剤整列ローラーに伝達されてそのローラーが回転し、処方箋等のデータに従って薬剤整列路に整列した薬剤を開口部から個々に薬剤選択供給装置内に所定数量排出するものである。
そして、薬剤選択供給装置内では排出された薬剤を分包装置で１包ずつに包装する分包作業を行うのである。
【発明の開示】
【発明が解決しようとする課題】
【０００３】
ところで、分包作業が進むと、当然として薬剤収容容器内に収納された薬剤が少量となり補充しなければならず、この場合には、薬剤収容容器を外し、薬剤を補給した後、再び薬剤選択供給装置に装着して分包作業を続行する。
【０００４】
しかしながら、従来の薬剤収容容器は、薬剤整列ローラーが回転自在に設けられているので、脱着時に薬剤収容容器に加わる振動、衝撃等によって薬剤整列ローラーが不用意に回転し、薬剤整列路に残っていた薬剤が薬剤排出用の開口部から薬剤選択供給装置に排出される可能性がある。
【０００５】
本発明は上記の点を解決するものであり、薬剤収容容器を装着脱する際にその薬剤収容容器内に残った薬剤を不用意に排出させない錠剤等の薬剤選択供給装置用の薬剤収容容器を提供することを課題とするものである。
【課題を解決するための手段】
【０００６】
本発明は、上記課題に鑑みてなされたもので、その課題を解決するための手段は、薬剤収納部１６に収納される錠剤、カプセル等の薬剤を薬剤選択供給装置の指示に応じて排出するために薬剤収容容器支持体２ に装着され、該薬剤収容容器支持体２ への装着時には、互いに噛合するギアを介して該薬剤収容容器支持体２ の回転駆動体により薬剤整列ローラー２５が回転して前記薬剤収納部１６に収納された錠剤、カプセル等の薬剤が薬剤整列路２４に導入されて個々に開口部１３から薬剤選択供給装置へと排出される薬剤収容容器であって、前記薬剤収容容器支持体２ への非装着時には、前記薬剤整列ローラー２５の自転を抑止する抑止手段が設けられてなることにある。
【０００７】
また、好ましくは、前記抑止手段が、前記薬剤整列ローラー２５の軸体２９に取付けられたギア３０又はギア３０の歯に弾性体の付勢によって係止しうるストッパー１８とされてなるものとし得る。
さらに、好ましくは、前記薬剤収容容器支持体２ には、前記収容容器本体１ が該薬剤収容容器支持体２ に装着された場合に前記薬剤整列ローラー２５の抑止手段を解除する解除手段が設けられ得る。
【０００８】
上記構成からなる錠剤等の薬剤収容容器は、その容器内に収納される錠剤、カプセル等の薬剤を薬剤選択供給装置の指示に応じて排出するためにその薬剤収容容器支持体２ に装着され、薬剤収容容器支持体２ の回転駆動体により薬剤整列ローラー２５が回転し、薬剤収納部１６に収納された錠剤、カプセル等の薬剤が薬剤整列路２４に導入されて個々に開口部１３から薬剤選択供給装置へと排出される。
ところで、薬剤収容容器に薬剤を補充する時などは、薬剤収容容器支持体２ から薬剤収容容器を着脱しなければならないが、上記構成からなる薬剤収容容器には、薬剤整列ローラー２５の自転を抑止する抑止手段が設けられているので、薬剤収容容器を外し、又装着した際に生ずる振動等によって回転自在な薬剤整列ローラー２５が自然に回転することがない。
【発明の効果】
【０００９】
本発明によれば、薬剤収納部や薬剤整列路内に薬剤が残っていても不用意に開口部から排出されるということを防止できる。
【００１０】
さらに、薬剤収容容器が装着される薬剤収容容器支持体に薬剤整列ローラーの抑止手段を解除する解除手段が設けられていれば、装着時には抑止手段の規制は解除されて薬剤整列ローラーは完全に回転自在となり、薬剤収容容器支持体の回転駆動体に何ら負荷がかかることもなく薬剤選択供給装置の指示に従って薬剤を排出できる。
【発明を実施するための最良の形態】
【００１１】
以下、本発明の一実施例を図面に従って説明する。
図１〜図３に於いて、１ は、薬剤選択供給装置内の薬剤収容容器支持体２ に装着脱可能で、且つ錠剤、カプセル等の薬剤を収納可能な薬剤収納部１６が設けられた収容容器本体を示す。
その収容容器本体１ は、平面視略扇形に形成されており、薬剤収納部１６の上部に薬剤投入口１ａとそれを開閉すべく蓋１ｂが設けられている。
【００１２】
前記薬剤収容容器支持体２ の装着面２ａには、収容容器本体１ を装着する際の導き路となる一対の案内レール３,３'が突設され、且つ薬剤収容容器支持体２ の内側には、収容容器本体１ の前壁に設けられた凹部４ に嵌合する凸部５ａが形成された前面板５ が立設されている。
前記案内レール３,３'の前面板５ 側には、平面視略碗状の段部６,６'が夫々形成されている。
７ は、収容容器本体１ から排出される薬剤を分包装置（図示せず）に供給するための搬出口を示し、８ は、モーター等の回転駆動体９ を介して回転する大ギア８ａと小ギア８ｂからなり、且つ装着面２ａから突出した二連歯車を示す。
１０は、一の案内レール３ の略中央部近傍に突設された棒状の突起棒を示し、かかる突起棒１０は、後述する薬剤攪拌ローラー体１１の回転を抑止する抑止手段であるストッパー１８の規制を解除する解除手段である。
【００１３】
一方、前記収容容器本体１ 内の略中央底部には、薬剤攪拌ローラー体１１が設けられており、薬剤収納部１６は、その薬剤攪拌ローラー体１１方向に薬剤収容容器本体１ の前壁面１２とそれに対向する他壁面１４から下向き傾斜で一体的に底部１５が延出されて形成されている。
前記薬剤攪拌ローラー体１１には、大ギア３０と小ギア３３とからなる二連歯車１７が取付けられている。
【００１４】
さらに詳しくは、収容容器本体１ の下方には仕切壁１９を介してギア収納部２０が設けられている。
加えて、図２に示すように、仕切壁１９の上方には薬剤攪拌ローラー体１１の周囲を包囲する筒状のローラー収納壁２１と、薬剤攪拌ローラー体１１を下方から支持する筒状の支持壁２２が形成されている。
【００１５】
また、薬剤攪拌ローラー体１１は、周囲に薬剤２３が整列する薬剤整列路２４が複数形成された薬剤整列ローラー２５と、その薬剤整列ローラー２５の上面部に嵌合され、且つ略円筒を斜めに切断することにより一周端側が高い高部２６ａ と他周端側が低い低部２６ｂ とを有する傾斜面２７の形成された攪拌ローラー２６とから構成される。
薬剤整列ローラー２５には、回転軸芯部に孔２８が穿通されており、しかも、下方側に延出されたパイプ状の軸体２９が前記支持壁２２に嵌入されてギア収納部２０に突出され、下端部に大ギア３０が固着されている。
一方、前記孔２８には、円柱状の軸３１が挿通されており、その上端部には攪拌ローラー２６が固定され、且つその下端部には小ギア３３が固着されている。
【００１６】
かかる構成により、回転駆動体９ を介して大ギア８ａ及び小ギア８ｂが回転すると、それに噛合する小ギア３３及び大ギア３０が回転して薬剤攪拌ローラー体１１が回転する。尚、大小ギアの歯数を適宜選択し、薬剤整列ローラー２５と攪拌ローラー２６との回転速度は異なる速度に設計されており、従って、攪拌ローラー２６の高部２６ａ 側が低部２６ｂ 側に集積した薬剤を攪拌するので、低部２６ｂ 側には薬剤がブリッジングすることもなく薬剤整列路２４に確実に且つ迅速に導入され、図２に示すように縦列することとなる。
【００１７】
また、収容容器本体１ のギア収納部２０内には、抑止手段としてヘアピン状の板バネからなるストッパー１８の一辺側１８ａ が、仕切壁１９にピンを介して固定された取付部３５に固着されている。
かかるストッパー１８の他辺側１８ｂ の先端には、平面視略碗状の受け部３６が形成され、且つその受け部３６近傍には、薬剤整列ローラー２５の軸体２９に固着された大ギア３０の歯に係止する略三角形状の係止部３７が設けられている。
【００１８】
３９,３９'は、収容容器本体１ を薬剤収容容器支持体２ の案内レール３,３'に沿って装着するための導き路を示し、仕切壁１９から下方に突出されてギア収納部２０内に形成されている。
４０,４０'は、案内レール３,３'の段部６,６'に嵌合する位置決め突起を示す。
【００１９】
上記薬剤収容容器を薬剤収容容器支持体２ の案内レール３,３'に沿って嵌め込むと、図２及び図３に示すように、位置決め突起４０,４０'と段部６,６'が嵌合することによって所定位置に装着されると共に、駆動手段９ の二連歯車８ が薬剤攪拌ローラー体１１の二連歯車１７に噛合し、同時に、薬剤収容容器支持体２ の突起棒１０がストッパー１８の受け部３６に当接することにより板バネが押圧されてストッパー１８による抑止が解除され、装着前は自転、即ち、ストッパー１８により不用意に回転できなかった薬剤整列ローラー２５が回転自在な状態となる。
そして、回転駆動体９ を介して薬剤攪拌ローラー体１１が回転することにより、薬剤整列路２４に導入された薬剤は、処方箋等のデータに基づいて開口部１３から薬剤収容容器支持体２ の排出口７ に排出されて分包装置に供給される。
【００２０】
一方、収容容器本体１ を薬剤収容容器支持体２ から外した場合、図４に示すように、突起棒１０の押圧が解除されてストッパー１８が弾性力によって復帰することにより、その係止部３７が大ギア３０の歯に係止して薬剤整列ローラー２５の自由な回転を抑止する。
従って、少なくとも薬剤選択供給装置に薬剤収容容器が装着されていない状態のときは、薬剤整列ローラー２５は回転しないので、薬剤整列路２４等に薬剤が残っていても薬剤が開口部１３から薬剤選択供給装置に排出されない。
【００２１】
尚、上記実施例に於いて、薬剤収容容器支持体２ には解除手段１０が設けられているが、必ずしも薬剤収容容器支持体２ には解除手段が設けられていなければならないわけではない。例えば、抑止手段であるストッパー１８の板バネの弾性力を緩くしたり、ストッパー１８の係止部３７を略半円状にしたり、又ストッパー１８の取付け位置を変える等適宜設計変更することにより、薬剤整列ローラー２５に抑止手段が作用した状態でも薬剤収容容器支持体２ の回転駆動体９ によって薬剤整列ローラー２５を回転させることは可能である。
【００２２】
さらに、上記実施例に於いて、抑止手段はヘアピン状の板バネからなるストッパー１８から構成されているが、必ずしも抑止手段は上記構成に限定されず、例えば、図５に示すように、中央一面部に薬剤整列ローラー２５の大ギア３０に係止する鋸状の係止部３７が形成され、且つ両端側に孔４１,４１ が穿設された板状のストッパー１８と、その孔４１,４１ に挿通された支持棒４２,４２ と、その支持棒４２,４２ に嵌挿され、且つストッパー１８を他端面側から付勢するスプリング４３,４３ とから抑止手段が構成されていてもよい。
尚、かかる構成による薬剤収容容器を、図５の二点鎖線で示すように、解除手段である２本の突起棒が設けられた薬剤収容容器支持体２ に装着すれば、抑止手段であるストッパー１８が後退してストッパー１８は大ギア３０から離反することとなって抑止は解除される。
【００２３】
また、上記実施例に於いて、抑止手段であるストッパー１８は板バネ又はスプリングの付勢力によって大ギア３０の歯に係止する構成であったが、必ずしも抑止手段はかかる構成に限定されず、例えば、大ギア３０の盤自体を係止するストッパーであってもよく、又、板バネ又はスプリングに代えてゴムの付勢力を利用してもよい。
さらに、図６に示すように、抑止手段であるストッパー１８自体をゴムで形成すれば、上記実施例のようにストッパー１８に係止部３７を設けていなくても、その弾性力によって変形して大ギア３０にゴムのストッパー１８が当接し、且つ摩擦力の高いゴムの性質から大ギア３０を確実に係止することができる。
【００２４】
叙上のように、本発明に係る薬剤収容容器は、薬剤を個々に整列させて排出するための薬剤整列ローラーに、薬剤収容容器支持体への非装着時には、その回転を抑止する抑止手段が設けられているので、薬剤収容容器を薬剤選択供給装置から外す際又は装着する際に、回転自在な薬剤整列ローラーが不用意に回転することがない。
従って、薬剤整列路や薬剤収納部に薬剤が残っていても薬剤整列ローラーが自転して薬剤が開口部から薬剤選択供給装置に排出されることを防止できる。
よって、薬剤の無駄を無くし、一連の作業の円滑化を図ることができる。
【００２５】
さらに、前記薬剤収容容器支持体に、前記収容容器本体が該薬剤収容容器支持体に装着された場合に前記薬剤整列ローラーの抑止手段を解除する解除手段を設ければ、薬剤収容容器を装着した時には薬剤整列ローラーは抑止手段が解除されて完全に回転自在となり、一方、薬剤収容容器を外した時には抑止手段が作用して薬剤整列ローラーは不用意に回転しない。
従って、薬剤収容容器を装着脱するだけで、薬剤整列ローラーの回転の抑止とその解除を行なうことができ、作業者が何ら新たな操作を行なう必要もない。
【図面の簡単な説明】
【００２６】
【図１】本発明の薬剤収容容器とそれを装着する薬剤選択供給装置内の薬剤収容容器支持体の一部を示す参考図。
【図２】図１のＡ−Ａ線断面図。
【図３】図１のＢ−Ｂ線断面を下方側から現した断面図。
【図４】薬剤収容容器の底面図。
【図５】抑止手段と解除手段の他実施例を示す断面図。
【図６】抑止手段の他実施例を示す底面図。
【符号の説明】
【００２７】
１ …収容容器本体、２ …薬剤収容容器支持体、１６…薬剤収納部、１８…ストッパー、２４…薬剤整列路、２５…薬剤整列ローラー、２９…軸体、３０…ギア
【図１】
2006111357.tif 000003
【図２】
2006111357.tif 000004
【図３】
2006111357.tif 000005
【図４】
2006111357.tif 000006
【図５】
2006111357.tif 000007
【図６】
2006111357.tif 000008